(57)【要約】      （修正有）【課題】河川改修工事等の現場から流出する汚濁水を円筒形の回流分離槽によって、動力を使用しないで渦巻き状に水流を発生させて、その遠心力によって汚濁水を分離して回収する渦流汚泥分離回収装置に関する。【解決手段】回流分離槽本体は、上部の益流部と中間に回流部を設け、下部に沈殿部を以って構成される。該益流部には、外周に底部を設けた円筒体を立設し、該回流部には、外周に注入する汚水の汚水入口を設け、該沈殿部には、内部に逆円錐形沈殿器を設けると共に、下端に汚泥の残土の排土管を装設したものである。【選択図】図１
0003128554.tif 000002
【実用新案登録請求の範囲】
【請求項１】
回流分離槽本体（１）は、縦型の円筒形より形成され、該回流分離槽本体（１）には、上部外周に清水出口（９）を設けた益流部（２）と、中間部には外周に汚水入口（１０）を設けた回流部（３）と、下部には内部に逆円錐形沈殿器（１１）を設けた沈殿部（５）との３室を一体的に形成した事を特徴とする渦流汚泥分離回収装置。
【請求項２】
請求項１における該益流部（２）には、内部に上部を開口し、下面の外周に底部（７）を設けて清水室（８）を形成する円筒体（６）を立設した事を特徴とする請求項１の渦流汚泥分離回収装置。
【請求項３】
沈殿部（５）を方形状とすると共に、内部に設けた逆円錐形沈殿器（１１）には、下端に泥土を排出する排土管（１２）を装設した事を特徴とする請求項１の渦流汚泥分離回収装置。
【考案の詳細な説明】
【技術分野】
【０００１】  本考案は、河川改修工事等の現場から流出する汚濁水を縦型の円筒形の回流分離槽によって渦巻き状に水流を発生させて、その遠心力によって汚濁水の浮遊泥土を下方に分離して回収することを目的とした渦流汚泥分離回収装置に関するものである。
【背景技術】
【０００２】  従来、この種の汚泥分離装置は、大型の機械処理の装置を用いて処理する場合、又は、動力源を使用した箱型タイプのもの、または、フィルター等の各設備器を使用して清水等に処理するのが普通に実施されている事が一般的である。
然し、前記の大型の機械処理装置のものは、大変に高価であると共に、広い場所と、環境に対する配慮が何等されていない問題点がある。また、動力源を使用するものは、電力量が大変に必要とすると共に、曝気槽及び巡環通路にフィルター等を使用するため、常時清掃作業を必要とする問題点が生ずるものである。
【考案の開示】
【考案が解決しようとする課題】
【０００３】  本考案は、上記従来の問題点を解決するものであって、その主たる目的とする所は、大型の機械設備及び動力源を使用せず、且つ濾材やフィルター等も用いる必要がなく、全体が円筒形で小型化されている。更に、本考案に使用される円筒形の回流分離槽によれば、分離槽の外周部より流入する泥水を重力による自然の立体渦の流れにより自然に流下させ、渦巻き状態に水流を発生させて、その遠心力によって水に混入している浮遊泥土を容易に上下に分離回収する渦流汚泥分離回収装置を提供するものである。
【課題を解決するための手段】
【０００４】  本考案は、上記の各目的を達成するために、円筒形よりなる回流分離槽本体には、上部に清水出口を有する益流部、中間部に汚水入口を有する回流部を設け、下部には沈殿部を形成してある。該益流部には、内部に底部を有する円筒体を立設する。また、該沈殿部には、内部下方に向って逆円錐形沈殿器を装設し、下端の汚泥排出管より泥土を外部に排出するものである。
【考案の効果】
【０００５】  本考案によれば、従来の如く、大型の設備を必要とせず、且つ動力源を使用しないため非常に安価で経済的となる効果と、各々の機器類を一切使用しないと云う効果がある。そして回流分離槽本体の最上部に設けた益流部の内部に上部が開口した外周に底部を設けた円筒体によって、下方より回流しながら浮遊物が沈降し、上流する清水は円筒体の外周よりオーバーフローして清水出口より外部に清水として自然の水流によって回収できる効果がある。また、円筒体の外周に設けた底部によっては、清水となる流水の微少な浮遊物を沈下できる効果がある。また、回流部の一方外周に設けた汚水入口は、該回流部の内周壁に沿って注入されるので、該回流部内では、緩やかに自然に生ずる渦巻きにより遠心分離された状態で泥土が確実に沈降作用する効果がある。更に、下部に位置する沈殿部には、内部下方に逆円錐形沈殿器を装設したので、下方に向って直径を狭めることで、上昇流の方向を中心に向けて流れを変化し、中心の渦からさらに下降方向に導くことが出来るため、比重の軽い泥土も強制的に沈降できる便利な効果がある。
【考案を実施するための最良の形態】
【０００６】  上記のように構成されている渦流汚泥分離回収装置によれば、泥水を回流部（３）の中央部に設置した清水出口（９）は、斜め方向から流入させることで、渦巻き状の水流となって遠心分離機能を果し、一部では益流部（２）の円筒体（６）の内部を上昇して益流部（２）の内周と円筒体（６）の外周よりオーバーフローし、清水出口（９）より清水として外部に回収される。泥水は、該回流部（３）の内部と下方で渦巻き状に回流し、内部で分離された泥土が下降して沈降し、逆円錐形沈殿器（１１）によって、効率よく沈降した泥土は、絞られて積層され、外部の排出作業が大変に便利となるものである。
【実施例１】
【０００７】  本考案の実施例を図面について説明すると、図１に示す実施例は、縦型の円筒形よりなる回流分離槽本体（１）は、上方より益流部（２）、中間部分に回流部（３）と、下端の沈殿部（５）とより構成される。該益流部（２）には、図２に示す如く、内部に上部を開口され、下面の外周に該益流部（２）の内周に向って底部（７）を形成して清水室（８）を形成した円筒体（６）を立設する。該清水室（８）には、外周に清水の清水出口（９）を形成してある。次に、中間に位置する該回流部（３）には、外周の略上方部分に該回流部（３）の内周に向って回流するように泥水の入口となる汚水入口（１０）を形成してある。
更に、図３に示す該沈殿部（５）には、内部に下方に向った逆円錐形沈殿器（１１）を内装する。該逆円錐形沈殿器（１１）には、逆円錐の下端に外部に汚泥土を排出する排土管（１２）を装設するものである。
以上の沈降した泥土の排出作業が容易となるものである。なお、回収される泥土や浮遊物質によっては、流入速度及び水槽の大きさを変化させることにより、初期の目的が充分に可能となるものである。符号（１３）は、回流分離槽本体（１）の各種形状よりなる受台を示すものである。
【実施例２】
【０００８】  次に、図４に示すものは、他の実施例であり、該回流分離槽本体（１）の縦円筒体を短円筒体にしたものであり、該沈殿部（５）の形状を箱状に形成して安定を良好としたものを示したものである。
【図面の簡単な説明】
【０００９】
【図１】  本考案の全体を斜状とした全体斜面図である。
【図２】  同じく本考案の益流部と回流部との一部欠除した縦断側面図である。
【図３】  本考案の回流部と沈殿部との一部欠除した縦断側面図である。
【図４】  本考案の他の実施例を示す内部開示した全体の斜面図である。
【符号の説明】
【００１０】１          回流分離槽本体
２          益流部
３          回流部
５          沈殿部
６          円筒体
７          底部
８          清水室
９          清水出口
１０        汚水入口
１１        逆円錐形沈殿器
１２        排土管
１３        受台
【図１】
0003128554.tif 000003
【図２】
0003128554.tif 000004
【図３】
0003128554.tif 000005
【図４】
0003128554.tif 000006